(57)【特許請求の範囲】
【請求項１】
溶融樹脂中の不要物を除去するための複数の筒状スクリーン部(7)を有するカートリッジ(38)を流路(32,33)に連通した空隙(34,35)内に円環状に配設してなる一対のスライドバー(36,37)を用いるようにしたスクリーンチェンジャにおいて、前記スライドバー(36,37)に形成され前記カートリッジ(38)の開口端部(41)を当接させるため前記空隙(34,35)に設けられた流路開口部(42)と、前記カートリッジ(38)の閉端部(43)と、前記空隙(34,35)に形成され前記流路開口部(42)と対向する端壁(45)と、前記閉端部(43)と前記端壁(45)との間に着脱自在でかつ伸縮自在なジャッキ(50)とを備え、前記ジャッキ(50)により前記カートリッジ(38)を前記流路開口部(42)側へ付勢するように構成したことを特徴とするスクリーンチェンジャ。
【請求項２】
前記閉端部(43)に形成された皿部(44)と、前記端壁(45)に形成された角孔(46)と、前記ジャッキ(50)に設けられ前記角孔(46)と係合するねじ棒(51)と、前記ねじ棒(51)の外周に螺合された筒体(52)とを備え、前記筒体(52)の筒体端部(52a)を前記皿部(44)に当接させ、前記筒体(52)を回転させることにより前記ジャッキ(50)の長さを可変としたことを特徴とする請求項１記載のスクリーンチェンジャ。
【発明の詳細な説明】
【０００１】
【発明の属する技術分野】
本発明は、スクリーンチェンジャに関し、特に、スライドバーの流路に着脱自在に設けるカートリッジを伸縮自在なジャッキで付勢することにより、カートリッジの開口端部とスライドバーの流路開口部とを密合させるための新規な改良に関する。
【０００２】
【従来の技術】
従来、用いられていたこの種のスクリーンチェンジャとしては、例えば、特開平１０−２４４５７６号公報に開示されている構成を図６として挙げることができる。
すなわち、図６において符号３で示されるものはスクリーン交換装置１のケーシングであり、このケーシング３内の空洞２に着脱自在に設けられたスライダ５には、その外周形状に沿って複数の筒状スクリーン部７が環状に所定角度間隔で設けられ、各筒状スクリーン部７によりスクリーン７Ａを構成している。
前記各筒状スクリーン部７は、図７で示されるように、筒状の案内部材７ａの外周に多数のメッシュの開口を有するメッシュ体７ｂよりなり、第１樹脂通孔９から供給された押出機からの溶融樹脂はこのスクリーン７Ａの各筒状スクリーン部７の外側から内側へ貫通し、この貫通する時に各筒状スクリーン部７の表面の各開口に不要物が係合して捕促される。
このスクリーン７Ａを通過した溶融樹脂は、合流部１１を経て第２樹脂通孔１０から外部（ダイス側）へ送られてストランド化される。
【０００３】
【発明が解決しようとする課題】
従来のスクリーンは、以上のように構成されていたため、次のような課題が存在していた。
すなわち、スクリーンの各筒状スクリーン部は強固に取付けられていたため、取り外しにくく、異物等で汚れているため、交換作業は容易ではなかった。
また、前述の図６の構成とは別の従来構成として、例えば、図８に示される特公平６−５５４１１号公報に開示されているように、ケーシング３の流路１５にカートリッジ２０が複数個設けられており、このカートリッジ２０はフラットプレート型のスクリーンが用いられていたが、この場合もカートリッジを強固に取付けているため、交換作業は極めて困難であった。
【０００４】
本発明は、以上のような課題を解決するためになされたもので、特に、スライドバーの流路に着脱自在に設けるカートリッジを伸縮自在なジャッキで付勢することにより、カートリッジの開口端部とスライドバーの流路開口部とを密合させるようにしたスクリーンチェンジャを提供することを目的とする。
【０００５】
【課題を解決するための手段】
本発明によるスクリーンチェンジャは、溶融樹脂中の不要物を除去するための複数の筒状スクリーン部を有するカートリッジを流路に連通した空隙内に円環状に配設してなる一対のスライドバーを用いるようにしたスクリーンチェンジャにおいて、前記スライドバーに形成され前記カートリッジの開口端部を当接させるため、前記空隙に設けられた流路開口部と、前記カートリッジの閉端部と、前記空隙に形成され前記流路開口部と対向する端壁と、前記閉端部と前記端壁との間に着脱自在でかつ伸縮自在なジャッキとを備え、前記ジャッキにより前記カートリッジを前記流路開口部側へ付勢するようにした構成であり、さらに、前記閉端部に形成された皿部と、前記端壁に形成された角孔と、前記ジャッキに設けられ前記角孔と係合するねじ棒と、前記ねじ棒の外周に螺合された筒体とを備え、前記筒体の筒体端部を前記皿部に当接させ、前記筒体を回転させることにより前記ジャッキの長さを可変とした構成である。
【０００６】
【発明の実施の形態】
以下、図面と共に本発明によるスクリーンチェンジャの好適な実施の形態について説明する。なお、従来例と同一又は同等部分には同一符号を付して説明する。
図１において符号３で示されるものはスクリーンチェンジャ１のケーシングであり、このケーシング３の溶融樹脂の入口側である第１開口３０と出口側である第２開口３１との間には、第１流路３２及び第２流路３３が形成され、各流路３２、３３には第１、第２空洞３４、３５が連接されている。
【０００７】
前記各空洞３４、３５内には各々第１、第２スライドバー３６、３７が設けられ、この各スライドバー３６、３７には筒状スクリーン部７を有するカートリッジ３８が着脱自在でかつ環状に配設され、前記各筒状スクリーン部７はメッシュ状に形成され、外側から内側へ向けて溶融樹脂が通過することができるように構成されていると共に、第１開口３０からの溶融樹脂は各スライドバー３６、３７の各筒状スクリーン部７を経て第２開口３１に送られるように構成されている。
【０００８】
前記各スライドバー３６、３７は、図２に示されるように、前記流路３２、３３を形成する各空隙３４、３５内においてタイバー４０とナット６１によって固定されている。
【０００９】
前記筒状スクリーン部７を有する筒状のカートリッジ３８は、その一方の開口端部４１が前記各スライドバー３６、３７の流路開口部４２に当接して互いに密合し、他方の閉端部４３には皿部４４が形成され、この閉端部４３と対向する前記流路３２、３３である空隙３４、３５に形成された端壁４５には、四角形、六角形等の角孔４６が形成されている。
【００１０】
前述の閉端部４３、皿部４４、端壁４５及び角孔４６の構成は図３において図２の構成を拡大して示している。すなわち、図３において、前記閉端部４３と角孔４６との間には、その長さが伸縮自在に形成された小型のジャッキ５０が介装されており、このジャッキ５０のねじ棒５１の一端５１ａは前記皿部４４に当接し、その他端５１ｂは前記角孔４６内に回転不可能な状態で嵌合されている。
前記ねじ棒５１の外周には、筒体５２が螺合されており、この筒体５２の筒体端部５２ａは前記皿部４４に摺接自在に当接している。前記筒体５２を回転させることにより、ねじ棒５１はつれ回りしない構成であるため筒体５２がねじ棒５１に対して直線移動し、結果的にジャッキ５０の長さが可変となると共に、このジャッキ５０の筒体５２により筒状スクリーン部７を有するカートリッジ３８が流路開口部４２に付勢されて前記開口端部４１が流路開口部４２に密合される。
【００１１】
前記カートリッジ３８は、前記ジャッキ５０による付勢を解除することにより、ジャッキ５０が外されると共に、カートリッジ３８もスライドバー３６、３７から極めて簡単に取り外すことができる。
なお、図３に示される構成においては、カートリッジ３８の左側にジャッキ５０が配設されているため、第１開口３０からの溶融樹脂が第２開口３１へ流れる場合、矢印にて示される方向へ流れるため、ジャッキ５０の近辺にも溶融樹脂が滞留するが、図５に示されるように、カートリッジ３８の向きを図３とは逆向きとし、溶融樹脂の流れ逆向きとすることによってジャッキ５０が位置する部分の溶融樹脂の滞留を防止することができる。
【００１２】
次に、動作について述べる。まず、図１の第２流路３３を図示しない弁で閉じ、第１流路３２のみ開とした状態で、第１開口３０から供給された溶融樹脂は第１流路３２を経て、第１スライドバー３６の各カートリッジ３８の筒状スクリーン部７で異物等の不要物が除去され、第２開口３１から図示しないダイスへ送られる。
また、一方の第１スライドバー３６の各筒状スクリーン部７が不要物で詰まり濾過限度状態となると、前記弁を第１流路３２から第２流路３３に切換えることにより、第２スライドバー３７の各筒状スクリーン部７による溶融樹脂の濾過が行われる。
前述の状態で、溶融樹脂の流れを止めた第１スライドバー３６を取り外し、前述のようにジャッキ５０の長さを縮小させて各カートリッジ３８を取り外して清掃又は新しいカートリッジ３８と交換する。
以上の動作を各スライドバー３６、３７の各カートリッジ３８に対して切換動作を行うことにより、常に連続して溶融樹脂の濾過を行うことができる。なお、前述の形態では、スライドバー３６、３７を一対用いる場合について述べたが、単体のみで用いる場合にも適用できることは述べるまでもないことである。
【００１３】
【発明の効果】
本発明によるスクリーンチェンジャは、以上のように構成されているため、次のような効果を得ることができる。すなわち、筒状スクリーン部を有するカートリッジをジャッキで付勢することにより、カートリッジと流路開口部との密合を行っているため、ジャッキの付勢を解除してジャッキを取り外すことにより、簡単にカートリッジをスライドバーの流路すなわち空隙から容易に取り外すことができ、この種のカートリッジの交換及び清掃の作業を従来よりも大幅に簡略化することができる。
【図面の簡単な説明】
【図１】本発明によるスクリーンチェンジャを示す概略構成図である。
【図２】図１の要部の縦断面図である。
【図３】図２の一部の拡大断面図である。
【図４】図３の要部の取り外し状態を示す拡大断面図である。
【図５】図３の他の形態を示す断面図である。
【図６】従来のスクリーンチェンジャを示す構成図である。
【図７】図６の要部を示す拡大平面図である。
【図８】他の従来例を示す断面図である。
【符号の説明】
７    筒状スクリーン部
３２、３３    流路
３４、３５    空隙
３６、３７    スライドバー
３８    カートリッジ
４１    開口端部
４２    流路開口部
４３    閉端部
４４    皿部
４５    端壁
４６    角孔
５０    ジャッキ
５１    ねじ棒
５２    筒体
５２ａ    筒体端部
【図１】
0004097109.tif 000002
【図２】
0004097109.tif 000003
【図３】
0004097109.tif 000004
【図４】
0004097109.tif 000005
【図５】
0004097109.tif 000006
【図６】
0004097109.tif 000007
【図７】
0004097109.tif 000008
【図８】
0004097109.tif 000009